【事件の表示】
　平成１０年特許願第１６５５０４号「写真処理装置のマガジン装填機構」拒絶査定不服審判事件〔平成１２年　１月　７日出願公開、特開２０００−　　２９４１〕について、次のとおり審決する。
【結　論】
　本件審判の請求は、成り立たない。
【理　由】
１．手続の経緯
　本願は、平成１０年６月１２日に出願された、特願平１０−１６５５０４号であって、平成１７年７月２０日付けで拒絶査定がなされ、これに対して平成１７年８月２５日付けで審判請求がなされるとともに、平成１７年９月２６日付けで手続補正がなされたものである。　
　
２．平成１７年９月２６日付けの手続補正についての補正却下の決定　
［補正却下の決定の結論］　
　　平成１７年９月２６日付けの手続き補正を却下する。
［理由］　独立特許要件違反　
（１）補正後の本願発明　
　平成１７年９月２６日付けの手続補正（以下、「本件補正」という。）により、特許請求の範囲の請求項１は、　
「内部に感光材料を収納した略同一形状の２つのマガジンを、各マガジンの感光材料引き出し口が互いに異なる方向を向いた状態で装填可能であり、各マガジンの感光材料引き出し口から感光材料を搬送するための駆動ローラ及び前記駆動ローラの周面の２箇所で、感光材料引き出し口から引き出された感光材料を該駆動ローラに押しつける各従動ローラまでの距離がほぼ等しく、２つのマガジンの感光材料引き出し口が互いに略直交し、マガジンは、それぞれ感光材料を巻回した状態で保持するためのリール軸と、リール軸に対して平行に設けられた感光材料引き出し口を有しかつリール軸に平行な第１側壁と、リール軸に対して平行でかつ第１側壁に対して直交する第２側壁とを含み、第１側壁が略垂直となる状態でマガジンを装填する第１装填部と、第２側壁が略垂直となる状態でマガジンを装填する第２装填部とを具備し、第１装填部に装填されたマガジンの第１側壁と第２装填部に装填されたマガジンの第２側壁とが互いに対向するように第１装填部及び第２装填部が配置されていることを特徴とする写真処理装置のマガジン装填機構。」　
と補正された。　
　上記補正は、補正前の請求項１の「駆動ローラまでの距離」を「駆動ローラ及び前記駆動ローラの周面の２箇所で、感光材料引き出し口から引き出された感光材料を該駆動ローラに押しつける各従動ローラまでの距離」と限定するものである。　
　したがって、本件補正は、特許請求の範囲の減縮を目的とするものに該当する。　
　そこで、本件補正後の請求項１に記載された発明（以下、「本願補正発明」という。）が特許出願の際独立して特許を受けることができるものであるか（特許法第１７条の２第５項において準用する特許法第１２６条第５項の規定に適合するか）について検討する。
　
（２）刊行物　
　原査定の拒絶の理由に引用され、本願の出願日前に頒布された特開平１０−１０６４９号公報（以下、「引用例１」という。）には、以下の記載がある。
　　
［記載事項１］　
「【請求項１】感光材料を収納し開口部より感光材料を引き出す感光材料用カートリッジを用いる感光材料供給装置において、前記感光材料用カートリッジの装着時又は装着後に前記開口部の感光材料通路を感光材料の厚み方向に開く開口部開き手段を備え、感光材料が開口部を通過する際の引出し抵抗を小さくするようにしたことを特徴とする感光材料供給装置。・・・（中略）・・・　
【請求項５】ロール状の感光材料を収納し開口部より感光材料を引き出す感光材料用カートリッジにおいて、前記開口部近傍に前記感光材料の先端部を切断するカッタ手段を備えたことを特徴とする感光材料用カートリッジ。」　
［記載事項２］　
「【０００４】【発明が解決しようとする課題】（略）・・・また、感光材料の搬送機構は簡易で小型化が望まれる。・・・（中略）・・・また感光材料用カートリッジの感光材料の切断が簡易で小型化が望まれる。更に、感光材料用カートリッジの着脱時のガイドと把持部は簡易構造が望まれる。」　
　
［記載事項３］　
「【００１２】ここで、主な動作を説明すると、先ず、図示しない蓋を開き、２つの感光材料用カートリッジ７０Ａ，７０Ｂを感光材料用カートリッジ室３０に装填する。ここで、感光材料の幅が検知される。・・・（略）・・・
【００１３】ここで、第１の感光材料を搬送する例を説明する。図示しない操作ボタンを押すと駆動ローラ移動手段であるモータ４７が回転しウオーム４６が回転し歯車４４が回転する。歯車４４の回転によりアーム４３が反時計方向に回転する。ここで、駆動ローラ４８が第１ローラ４２Ａと当接し、アーム４３に設けられたモータ４１の回転で駆動ローラ４８が回転する。するとペーパーＰの先端は第１ローラ４２Ａと駆動ローラ４８にはさまれてペーパー搬送路１５に沿って搬送される。ここで、ペーパーＰの先端はガイド板４５とローラ４９Ａで遮光された部分を通過し、更に先端はガイド板４５に沿って搬送され、カッタ１６を通過し、更に吸盤１４で吸着し、露光台１３に搬送する。その後、ペーパーＰはカッタ１６で切断されるようになっている。
【００１４】次に、第２の感光材料を搬送する例を説明すると、第１の感光材料と同様にして、第２の感光材料をセットする。図示しない操作ボタンを押すと、モータ４７が逆回転し、ウオーム４６が回転し歯車４４が回転し、アーム４３が時計方向に回転する。すると、駆動ローラ４８が第２ローラ４２Ｂに当接する。ここで、アーム４３に設けられたモータ４１が回転し、ペーパーＰの先端は第１ローラ４２Ａと駆動ローラ４８にはさまれてペーパー搬送路１５に沿って搬送される。ペーパーＰの先端はガイド板４５とローラ４９Ｂで遮光された部分を通過し、更にペーパーＰはガイド板４５に沿って搬送され、カッタ１６を通過し、更に吸盤１４で吸着し、露光台１３に搬送する。その後、カッタ１６でカットされるようになっている。」　
　
［記載事項４］　
「【００１６】（実施の形態２）本発明の感光材料用カートリッジを図面に基づき説明する。図４は感光材料用カートリッジの外観斜視図で、図５は感光材料用カートリッジのカッタ部、スライド把持部の斜視図である。
【００１７】図で、感光材料用カートリッジは感光材料の入った感光材料箱Ｂをセットできるようになっている。また、スライド把持手段であるスライド把持部８５は感光材料用カートリッジ本体７１の側面に設けられ、感光材料供給装置側に設けた溝にスライドすると共に感光材料用カートリッジを把持するための把手を併用している。・・・（略）・・・
【００１８】ここで、セット動作を説明すると、開口部上板７２１とカッタ８０を取り外してから感光材料箱Ｂをセットする。ここで、固定金具７３を固定し、ペーパーＰの先端をカッタ８０により切断する。ここで、スライド把持部８５を持って装置本体の溝に装填する。」　
　
　［記載事項３］、［記載事項４］及び【図２】、【図４】、【図６】の記載から、２つの感光材料用カートリッジ７０Ａ、７０Ｂは、それぞれ軸を有するロール状の感光材料Ｐを収納した感光材料箱Ｂがセットされ、上記軸に対して平行な開口部７２を有し、略同一形状であることがわかる。　
　特に【図４】、【図６】からは、上記感光材料用カートリッジ７０Ａ、７０Ｂは、それぞれロール状の感光材料の軸に平行な１つの側壁と、ロール状の感光材料の軸に平行でかつ前記１つの側壁に対して直交する他の側壁とを含んでいることがわかる。そして、感光材料用カートリッジ７０Ａ、７０Ｂは、その側面に設けられたスライド把持部を感光材料供給装置内に設けた溝にスライドさせて、感光材料用カートリッジ室３０のそれぞれの対応箇所に前記溝に対して垂直に装填されることがわかる。　
　
　【図１】、【図２】の記載から、感光材料用カートリッジ７０Ａ、７０Ｂの開口部は互いに異なる方向を向いた状態で充填されていることがわかる。また、感光材料用カートリッジ７０Ａの開口部から駆動ローラ４８及び第１ローラ４２Ａまでの距離、及び感光材料用カートリッジ７０Ｂの開口部から駆動ローラ４８及び第２ローラ４２Ｂまでの距離がほぼ等しいこともわかる。　
　
　［記載事項１］及び［記載事項３］から、感光材料供給装置は、モータ４７が回転すると駆動ローラ４８が第１ローラ４２Ａ、もしくは第２ローラ４２と当接し、モータ４１の回転で駆動ローラ４８が回転することによって、ロール状の感光材料を収納した感光材料カートリッジの開口部より引き出された感光材料であるペーパーＰを搬送することがわかる。　
　
　［記載事項１］及び［記載事項４］から、感光材料供給装置における、感光材料用カートリッジを装填する装填機構が記載されていることがわかる。　
　したがって、上記記載事項及び各図面の記載を参照すれば、引用例１には、
「内部にロール状の感光材料を収納した略同一形状の２つの感光材料用カートリッジ７０Ａ、７０Ｂを、各感光材料用カートリッジの開口部が互いに異なる方向を向いた状態で装填可能であり、感光材料用カートリッジ７０Ａの開口部７２から感光材料を搬送するための駆動ローラ４８及び前記駆動ローラに開口部７２から引き出された感光材料を駆動ローラに当接させる第１ローラ４２Ａまでの距離と、感光材料用カートリッジ７０Ｂの開口部７２から感光材料を搬送するための駆動ローラ４８及び前記駆動ローラに開口部７２から引き出された感光材料を当接させる第２ローラ４２Ｂまでの距離がほぼ等しく、感光材料用カートリッジ７０Ａ、７０Ｂは、それぞれ感光材料をロール状で保持するための軸と、軸に対して平行に設けられた開口部７２を有しかつ軸に平行なある側壁と、軸に対して平行でかつ前記ある側壁に対して直交する他の側壁とを含み、２つの感光材料用カートリッジ７０Ａ、７０Ｂを装填する感光材料用カートリッジ室３０のそれぞれの溝が配置された感光材料供給装置の感光材料用カートリッジ装填機構。」の発明（以下、「引用例１発明」という。）が記載されている。　
　
　また、原査定の拒絶の理由に引用され、本願の出願日前に頒布された刊行物である特開平９−２６５１４０号（「引用例２」という。）には以下の点が記載されている。　
［記載事項５］
「【０００１】
【発明の属する技術分野】本発明は、プリント用感光材料を供給するプリント用感光材料供給手段と、写真原稿の駒画像から、前記プリント用感光材料供給手段から供給されたプリント用感光材料に、露光する露光手段と、前記露光手段により露光されたプリント用感光材料を現像処理してプリントを得るプロセッサと、を有し、異なるプリントサイズに露光される多数本の写真原稿を連続して処理しうるプリンタプロセッサに関する発明である。」　
　
［記載事項６］　
「【００７７】印画紙供給部３０にセットされる各マガジン１１２、１２２、１３２、１４２は、内部に一定幅のウエブ状のカラー印画紙をロール状に巻き取って収容するものであり、そのカラー印画紙の先端を挟んで前後に搬送させる搬送ローラ１１３、１２３、１３３、１４３を有するものである。なお、この搬送ローラ１１３、１２３、１３３、１４３は印画紙供給部３０から駆動力を受けて、回転駆動するものである。
【００７８】各マガジン保持台１１１、１２１、１３１、１４１は各マガジン１１２、１２２、１３２、１４２を位置決めして保持するものである。」
　
（３）対比
　本願補正発明と引用例１発明とを比較する。　
　引用例１発明の「ロール状の感光材料」は、本願補正発明の「感光材料」に相当する。同様に「感光材料用カートリッジ７０Ａ、７０Ｂ」は「２つのマガジン」及び「各マガジン」に、「開口部７２」は「感光材料引き出し口」に、「第１ローラ４２Ａ」及び「第２ローラ４２Ｂ」は「各従動ローラ」に、「ロール状で保持する」は「巻回した状態で保持する」に、「軸」は「リール軸」に、「ある側壁」は「第１側壁」に、「他の側壁」は「第２側壁」に、「感光材料用カートリッジ室３０のそれぞれの溝」は「第１装填部」及び「第２装填部」に、それぞれ相当する。　
　そして、引用例１発明の第１ローラ４２Ａ及び第２ローラ４２Ｂが「感光材料を駆動ローラに当接させる」状態とは、第１ローラ４２Ａ及び第２ローラ４２Ｂが、感光材料を駆動ローラの周面で押しつける状態であると言えるから、引用例１発明の「開口部７２から引き出された感光材料を駆動ローラに当接させる第１ローラ４２Ａ」及び「開口部７２から引き出された感光材料を駆動ローラに当接させる第２ローラ４２Ｂ」は、本願補正発明の「駆動ローラの周面で感光材料引き出し口から引き出された感光材料を該駆動ローラに押しつける各従動ローラ」に相当する。　
　また、引用例１発明の「感光材料供給装置」は、感光材料を供給した上で、露光、現像を行うものであるから、当然、写真処理が可能な装置である。したがって、本願補正発明の「写真処理装置」に相当する。　
　
　したがって、本願補正発明と引用例１発明とは、　
「内部に感光材料を収納した略同一形状の２つのマガジンを、各マガジンの感光材料引き出し口が互いに異なる方向を向いた状態で装填可能であり、各マガジンの感光材料引き出し口から感光材料を搬送するための駆動ローラ及び前記駆動ローラの周面で感光材料引き出し口から引き出された感光材料を該駆動ローラに押しつける各従動ローラまでの距離がほぼ等しく、マガジンは、それぞれ感光材料を巻回した状態で保持するためのリール軸と、リール軸に対して平行に設けられた感光材料引き出し口を有しかつリール軸に平行な第１側壁と、リール軸に対して平行でかつ第１側壁に対して直交する第２側壁とを含み、マガジンを装填する第１装填部と、マガジンを装填する第２装填部とが配置されていることを特徴とする写真処理装置のマガジン装填機構。」である点で一致し、以下の点で相違している。　
　
［相違点１］　
　「従動ローラ」が、本願補正発明は、「駆動ローラの周面の２箇所」で、感光材料を駆動ローラに押しつけているのに対し、引用例１発明は、駆動ローラの周面の１箇所で押しつけている点　
［相違点２］　
　「２つの感光材料引き出し口」が、本願補正発明は、「互いに略直交」しているのに対し、引用例１発明は、そのような構成になっていない点。　
［相違点３］　
　「第１装填部」及び「第２装填部」において、各マガジンが、本願補正発明ではそれぞれ「第１側壁が略垂直となる状態」、「第２側壁が略垂直となる状態」で装填され、かつ「第１装填部に装填されたマガジンの第１側壁と第２装填部に装填されたマガジンの第２側壁とが互いに対向するように配置されている」のに対し、引用例１発明ではそのような限定がなされていない点。　
　
（４）当審の判断　
　上記［相違点１］〜［相違点３］について検討する。
　
［相違点１］について　
　駆動ローラの周面への押しつけに使用する従動ローラの個数については、搬送する感光材料の搬送方向及び駆動ローラの曲率等により、当業者が適宜選択し得るものである。　
　したがって、相違点１に係る発明特定事項は格別ではない。　
　
［相違点２］について　
　２つの感光材料引き出し口を、互いに略直交して設置する構成は、引用例２に記載されている（［記載事項６］及び【図４】を参照）。　
　したがって、引用例１発明の開口部の配置を、スペース効率、他の部材との関連構成等を考慮して、引用例２に記載の構成を採用し、本願請求項１の発明特定事項に係る構成とすることは当業者にとって容易である。　
　
［相違点３］について　
　装填部にカートリッジの側壁を略垂直となる状態で装填する構成は、引用例２の【図４】（１３１，１３２及び１４１，１４２を参照）に記載されている。　
　また、「第１装填部に装填されたマガジンの第１側壁と第２装填部に装填されたマガジンの第２側壁とが互いに対向するように配置されている」構成を選択することは、２つの感光材料用カートリッジの装填にあたり、スペース効率、感光材料引き出し口の向き、他の部材との関連構成等を考慮し、当業者が適宜決定し得る設計事項である。　
　したがって、相違点３に係る発明特定事項は、当業者が引用例１及び引用例２から容易に想到し得る事項である。　
　
　そして、本願補正発明の効果は、引用例１、２に記載された事項から当業者が容易に予測し得る範囲内のものである。　　
　　
　以上のことより、本願補正発明は、引用例１、２に記載された事項に基づいて、当業者が容易に発明をすることができたものであるから、特許法第２９条第２項の規定により特許出願の際独立して特許を受けることができない。
　
　（５）むすび
　以上のとおり、本件補正は、特許法第１７条の２第５項で準用する同法第１２６条第５項の規定に違反するもので、特許法第１５９条第１項で読み替えて準用する特許法第５３条第１項の規定により却下されるべきものである。
　
３．本願発明について
　平成１７年９月２６日付手続補正は上記のとおり却下されたので、本願の請求項１に係る発明（以下、「本願発明」という。）は、平成１６年１１月２９日付手続補正書の請求項１に記載された以下のとおりのものである。　
「内部に感光材料を収納した略同一形状の２つのマガジンを、各マガジンの感光材料引き出し口が互いに異なる方向を向いた状態で装填可能であり、各マガジンの感光材料引き出し口から感光材料を搬送するための駆動ローラまでの距離がほぼ等しく、２つのマガジンの感光材料引き出し口が互いに略直交し、マガジンは、それぞれ感光材料を巻回した状態で保持するためのリール軸と、リール軸に対して平行に設けられた感光材料引き出し口を有しかつリール軸に平行な第１側壁と、リール軸に対して平行でかつ第１側壁に対して直交する第２側壁とを含み、第１側壁が略垂直となる状態でマガジンを装填する第１装填部と、第２側壁が略垂直となる状態でマガジンを装填する第２装填部とを具備し、　第１装填部に装填されたマガジンの第１側壁と第２装填部に装填されたマガジンの第２側壁とが互いに対向するように第１装填部及び第２装填部が配置されていることを特徴とする写真処理装置のマガジン装填機構。」　
　
４．引用例　
　原査定の拒絶の理由に引用された引用例１、２の記載事項は、前記「２．（２）刊行物」に記載したとおりである。
　
５．対比・判断　
　本願発明は、本願補正発明から、上記「２．（１）補正後の本願発明」で述べた、「駆動ローラまでの距離」を「駆動ローラ及び前記駆動ローラの周面の２箇所で、感光材料引き出し口から引き出された感光材料を該駆動ローラに押しつける各従動ローラまでの距離」とする限定を省いたものである。
　そうすると、本願発明の発明特定事項をすべて含み、さらに他の発明特定事項を付加したものに相当する本願補正発明が、前記「２．（４）当審の判断」に記載したとおり、引用例１、２に記載された発明に基づいて、当業者が容易に発明をすることができたものであるから、本願発明も、同様の理由により、引用例１、２に記載された発明に基づいて、当業者が容易に発明をすることができたものである。
　
６．むすび
　以上のとおり、本願発明は、引用例１、２に記載された発明に基づいて、当業者が容易に発明をすることができたものであるから、特許法第２９条第２項の規定により特許を受けることができない。　
　よって、結論のとおり審決する。